(57)【要約】【課題】  カメラ装置が装着されるスタンド装置をプリンタ装置に装着することができる。【解決手段】  撮像部１２と、この撮像部１２が撮像した画像データを保存するメモリとを有するディジタルスチルカメラ１０と、ディジタルスチルカメラ１０が電気的に接続された状態で装着されるカメラ装着部２２が設けられると共に、背面部に他の電子機器と電気的に接続するための端子部２８ａ〜２８ｃが設けられたスタンド装置２０と、スタンド装置２０が電気的に接続された状態で装着されるスタンド装着部３２が設けられると共に、スタンド装置２０から入力された画像データを印刷するプリンタ装置３０とを備える。スタンド装着部３２には、スタンド装置２０の背面部に設けられた端子部２８ａ〜２８ｃを覆う覆い片３４が設けられている。【選択図】  図１
2006175607.tif 000002
【特許請求の範囲】
【請求項１】
撮像部と、この撮像部が撮像した画像データを保存するメモリとを有するカメラ装置と、
上記カメラ装置が電気的に接続された状態で装着されるカメラ装着部が設けられると共に、背面部に他の電子機器と電気的に接続するための端子部又は操作部が設けられたスタンド装置と、
上記スタンド装置が電気的に接続された状態で装着されるスタンド装着部が設けられると共に、上記スタンド装置から入力された画像データを印刷するプリンタ装置とを備え、
上記スタンド装着部には、上記スタンド装置の背面部に設けられた端子部又は操作部を覆う覆い片が設けられていることを特徴とするプリントシステム。
【請求項２】
上記スタンド装置には、画像データを保存するメモリが設けられていることを特徴とする請求項１記載のプリントシステム。
【発明の詳細な説明】
【技術分野】
【０００１】
本発明は、カメラ装置をスタンド装置を介してプリンタ装置に装着することができるプリントシステムに関する。
【背景技術】
【０００２】
特許文献１に示すように、カメラ装置をプリンタ装置に直接的に装着し、カメラ装置の画像データをプリンタ装置で印刷するシステムがある。また、ディジタルスチルカメラといった小型のカメラ装置は、スタンド装置に装着できるようにもなっている。例えば、小型のカメラ装置は、スタンド装置に装着することで、カメラ装置に内蔵された充電型電池に充電を行うことができ、また、他の電子機器と有線でデータのやり取りを行うことができる。
【０００３】
【特許文献１】特許第３４４６３７４号公報
【発明の開示】
【発明が解決しようとする課題】
【０００４】
本発明は、以上のような問題点に鑑みてなされたものであり、その目的は、カメラ装置が装着されるスタンド装置をプリンタ装置に装着することができる新規なプリントシステムを提供することにある。
【０００５】
また、本発明の目的は、スタンド装置を見栄え良くプリンタ装置に装着することができるプリントシステムを提供することにある。
【０００６】
更に、本発明の目的は、スタンド装置を介してカメラ装置をプリンタ装置に装着した際にカメラ装置のデータをプリンタ装置で印刷することができるようにし、利便性の向上を図ったプリントシステムを提供することにある。
【課題を解決するための手段】
【０００７】
本発明に係るプリントシステムは、撮像部と、この撮像部が撮像した画像データを保存するメモリとを有するカメラ装置と、上記カメラ装置が電気的に接続された状態で装着されるカメラ装着部が設けられると共に、背面部に他の電子機器と電気的に接続するための端子部又は操作部が設けられたスタンド装置と、上記スタンド装置が電気的に接続された状態で装着されるスタンド装着部が設けられると共に、上記スタンド装置から入力された画像データを印刷するプリンタ装置とを備える。上記スタンド装着部には、上記スタンド装置の背面部に設けられた端子部又は操作部を覆う覆い片が設けられている。
【発明の効果】
【０００８】
本発明によれば、カメラ装置がスタンド装置に装着されて電気的に接続され、更に、スタンド装置プリンタ装置に装着されて電気的に接続されることで、カメラ装置に保存されている画像データをプリンタ装置で印刷することができ、利便性の向上を図ることができる。
【０００９】
また、プリンタ装置のスタンド装着部には、覆い片が設けられていることで、スタンド装置がスタンド装着部に装着されているとき、スタンド装置の背面部に設けられている端子部や操作部を隠すことができ、見栄えが悪くなることを防止することができる。
【発明を実施するための最良の形態】
【００１０】
以下、本発明を適用したプリントシステムについて、図面を参照して説明する。
【００１１】
図１に示すように、本発明を適用したプリントシステム１は、図１に示すように、ディジタルスチルカメラ１０と、このディジタルスチルカメラ１０が装着されるスタンド装置２０と、このスタンド装置２０が装着されるプリンタ装置３０とを備える。
【００１２】
このディジタルスチルカメラ１０は、図１及び図２に示すように、略矩形をなすカメラ本体部１１を有する。このカメラ本体部１１には、カメラ機能を実現する種々の電気回路が組み込まれた制御回路基板が内蔵されていると共に、充電型電池が配設されている。このカメラ本体部１１には、前面部に、複数のレンズやＣＣＤ（Charge-Coupled Devices）素子、ＣＭＯＳ（Complementary Metal-Oxide Semiconducto））等の撮像素子で構成された撮像部１２が設けられ、上面に、シャッタ釦１８が設けられている。また、カメラ本体部１１には、背面部に、表示部１３が設けられている。この表示部１３は、例えば略矩形をなし、ＬＣＤ（Liquid Crystal Display）や有機ＥＬディスプレイ（Organic Electroluminescence Display）等の表示素子で形成されている。この表示部１３の上側には、撮影範囲を見定めるファインダ部１４が設けられている。また、この表示部１３に隣り合うようにして、カメラ本体部１１の背面部には、複数の操作釦でなる操作部１５が設けられている。この操作部１５は、例えば、内部メモリに保存格納されている画像データを表示部１３に表示させる操作を行うことができる。また、操作部１５では、ディジタルスチルカメラ１０の詳細な設定、例えばフラッシュのオンオフ等を設定することができる。
【００１３】
更に、カメラ本体部１１の底面部には、三脚等が取り付けられる取付孔１６が設けられている。この取付孔１６は、三脚等のアクセサリが取り付けられると共に、スタンド装置２０に装着されたとき、スタンド装置２０のカメラ装着部に形成された位置決め突起が係合する孔となる。更に、カメラ本体部１１の底面部には、スタンド装置２０と電気的接続をするためのジャック部１７が設けられている。このジャック部１７からは、充電用の電源が供給され、また、カメラ本体部１１のメモリに格納されている画像データをスタンド装置２０側に出力することができる。
【００１４】
以上のように構成されたディジタルスチルカメラ１０は、表示部１３で撮像部１２が現在移している画像を見ながら、シャッタ釦１８を押して写真をとることができる。このディジタルスチルカメラ１０は、撮像した画像データを、内部メモリに格納し保存することができる。また、ディジタルスチルカメラ１０は、操作部１５を操作することによって、メモリに格納されている画像データを表示部１３で再生することもできる。なお、このメモリは、カメラ本体部１１に内蔵されたメモリであっても良く、また、カメラ本体部１１に対して着脱可能であっても良い。また、ディジタルスチルカメラ１０は、撮影時には、ユーザに把持されて使用され、また、非使用時にはスタンド装置２０に設置される。また、ディジタルスチルカメラ１０は、スタンド装置２０に装着した状態でメモリに保存されている画像データを再生し、表示部１３で再生した画像を見ることができる。
【００１５】
以上のようなディジタルスチルカメラ１０が装着されるスタンド装置２０は、図１乃至図３に示すように、全体が略矩形をなすスタンド本体部２１を有する。このスタンド本体部２１は、その上面で背面側に偏った位置に、ディジタルスチルカメラ１０の底面部の外形形状に対応したカメラ装着部２２が形成されている。このカメラ装着部２２は、ディジタルスチルカメラ１０の底面部の形状に対応した凹部で構成されている。
【００１６】
このカメラ装着部２２の底面部２３は、スタンド本体部２１の背面部から前面部に向かって上側に傾斜して形成されている。したがって、図１に示すように、ディジタルスチルカメラ１０は、スタンド装置２０のカメラ装着部２２に装着されたとき、カメラ本体部１１の背面部に設けられた表示部１３がスタンド装置２０の前面部を向き、表示部１３に表示された画像を見やすくすることができる。また、このカメラ装着部２２には、カメラ本体部１１の底面部に設けられたジャック部１７に接続されるコネクタ２４が設けられている。このコネクタ２４は、ディジタルスチルカメラ１０のジャック部１７と電気的に接続されることによって、ディジタルスチルカメラ１０に充電用の電源を供給すると共に、画像データがディジタルスチルカメラ１０から入力される。また、操作部２７でのディジタルスチルカメラ１０を操作するための操作信号をディジタルスチルカメラ１０に入力する。また、底面部２３には、カメラ本体部１１の底面部に形成された取付孔１６に係合する位置決め突起２５が形成されている。
【００１７】
以上のようなカメラ装着部２２には、スタンド本体部３１の背面側に、カメラ本体部１１の前面側を支持する支持片２６がカメラ本体部１１の前面部と前面部に隣り合う両側面部に当接するように略コ字状をなして形成されている。この支持片２６は、カメラ装着部２２に表示部１３が上を向くように斜めに装着されたカメラ本体部１１を底面部側から支持する。
【００１８】
スタンド本体部２１は、カメラ装着部２２の前面側が操作面とされ、この操作面には、複数の押し釦で構成された操作部２７が設けられている。操作部２７は、ディジタルスチルカメラ１０がカメラ装着部２２に装着され電気的接続が図られたとき、操作部１５と略同様な操作を行うことができる。
【００１９】
スタンド本体部２１には、背面部に、ディスプレイ等と接続され画像データ等のＡＶデータを出力する接続コードが接続される第１のジャック部２８ａやパーソナルコンピュータ等の情報処理装置に接続され画像データ等を出力する接続コードが接続される第２のジャック部２８ｂや直流電源が入力される第３のジャック部２８ｃが設けられている。なお、スタンド本体部２１の背面部には、ジャック部の他に、入出力を切り換える切換スイッチ等を設けるようにしても良い。また、スタンド本体部２１の底面部には、プリンタ装置３０とスタンド装着部と電気的接続を行うためのジャック部２９が設けられている。
【００２０】
なお、スタンド本体部２１の内部には、プリント配線基板が内蔵され、このプリント配線基板には、ディジタルスチルカメラ１０とプリンタ装置３０との中継をするための回路やディジタルスチルカメラ１０のバッテリを充電するための充電制御回路等が組み込まれている。
【００２１】
以上のようなスタンド装置２０のカメラ装着部２２には、ディジタルスチルカメラ１０の表示部１３が設けられた背面部を前面側にし、撮像部１２を背面側にして、ディジタルスチルカメラ１０が装着されることになる。このカメラ装着部２２は、スタンド本体部２１の背面側に略コ字状をなすように設けられた支持片２６によってディジタルスチルカメラ１０の前面側を支持する。ディジタルスチルカメラ１０がカメラ装着部２２に装着された状態においては、カメラ装着部２２に設けられたコネクタ２４とカメラ本体部１１の底面部に設けられたジャック部１７とが電気的に接続される。ディジタルスチルカメラ１０は、スタンド装置２０に装着された状態において、例えば第３のジャック部２８ｂから入力されるＤＣ電源によってバッテリに充電を行うことができる。また、ディジタルスチルカメラ１０は、スタンド装置２０に装着された状態において、カメラ本体部１１に内蔵されたメモリに格納された画像データを、表示部１３に表示することができる他、更に、第２のジャック部２８ｂに接続された接続コードによって接続されたモニタに表示させることができる。このようなスタンド装置２０に装着されているディジタルスチルカメラ１０の操作は、ディジタルスチルカメラ１０の操作部１５の他、スタンド装置２０の操作部２７を用いて行うことができる。
【００２２】
なお、このカメラ装着部２２は、スタンド装置２０の前面側に、ディジタルスチルカメラ１０を支持する支持片が設けられていない。したがって、ディジタルスチルカメラ１０の取り外しは、スタンド装置２０の前面側に傾倒させるようにして行われる。
【００２３】
以上のように、ディジタルスチルカメラ１０のメモリに格納されている画像データの再生や印刷を行うときには、スタンド装置２０に装着された状態で行われることが多い。そこで、更に、プリントシステム１では、スタンド装置２０をプリンタ装置３０に装着し、ディジタルスチルカメラ１０のメモリに格納されている画像データをプリンタ装置３０に出力し、プリンタ装置３０で画像データを印刷することができるようにしている。
【００２４】
スタンド装置２０が装着されるプリンタ装置３０は、図１及び図３に示すように、筐体３１の上面にスタンド装置２０が装着されるスタンド装着部３２が設けられている。このスタンド装着部３２は、スタンド装置２０の底面部の形状に対応した凹部で構成されている。このスタンド装着部３２の底面部には、スタンド装置２０を構成するスタンド本体部２１の底面部に設けられたジャック部２９に接続されるコネクタ３３が設けられている。このコネクタ３３は、スタンド装置２０にディジタルスチルカメラ１０が装着されているとき、スタンド装置２０を介してディジタルスチルカメラ１０の充電用の電源を供給すると共に、スタンド装置２０を介してディジタルスチルカメラ１０から画像データが入力される。また、操作部でのディジタルスチルカメラ１０を操作するための操作信号をディジタルスチルカメラ１０に入力する。
【００２５】
このカメラ装着部２２には、スタンド装置２０の前面部を筐体３１の前面側にしてスタンド装置２０が装着される。ところで、上述したスタンド装置２０のスタンド本体部２１には、背面部に、第１乃至第３のジャック部２８ａ〜２８ｃが設けられている。そこで、スタンド装着部３２の背面側には、スタンド装着部３２に装着されたスタンド本体部２１の背面部を多く覆い片３４が設けられている。覆い片３４は、図４に示すように、少なくともスタンド本体部２１の背面部の第１乃至第３のジャック部２８ａ〜２８ｃを覆うことができる大きさに形成され、スタンド装着部３２にスタンド装置２０が装着された状態において、第１乃至第３のジャック部２８ａ〜２８ｃを隠し、見栄えを良くすると共に、第１乃至第３のジャック部２８ａ〜２８ｃへの塵埃等の付着を防止する。
【００２６】
この覆い片３４は、スタンド装置２０をスタンド装着部３２に装着するに当たっての位置規制壁としても機能させるため、ここでは、スタンド本体部２１の背面部の他、この背面部と隣り合う両側面部を覆うように、略コ字状をなすように形成されている。
【００２７】
プリンタ装置３０を構成する筐体３１の上面であってスタンド装着部３２の前面側には、複数の押し釦で構成された操作部３５が設けられている。操作部３５は、スタンド装置２０がスタンド装着部３２に装着され電気的接続が図られたとき、ディジタルスチルカメラ１０の操作部１５やスタンド装置２０の操作部２７と略同様な操作を行うことができる。
【００２８】
また、このプリンタ装置３０には、記録紙３６に画像データを印刷する印刷部が設けられている。この印刷部は、印刷を行う記録ヘッド、記録紙３６を走行させる走行機構等で構成されている。印刷ヘッドとしては、感熱記録を行うためのサーマルヘッドやインクで印刷を行うインクジェットヘッドやレーザ印刷を行うレーザプリンタヘッドである。印刷ヘッドは、例えば、スタンド装置２０を介してディジタルスチルカメラ１０から入力された画像データを記録紙３６に印刷する。
【００２９】
以上のようなプリンタ装置３０では、ディジタルスチルカメラ１０が装着されたスタンド装置２０をスタンド装着部３２に装着することができる。このとき、スタンド装置２０の背面部に設けられている第１乃至第３のジャック部２８ａ〜２８ｃは、覆い片３４より覆われ外部に露出しない。したがって、プリンタ装置３０は、スタンド装置２０がスタンド装着部３２に装着された際に見栄えが悪くなり、また、第１乃至第３のジャック部２８ａ〜２８ｃに塵埃等が付着することを防止することができる。
【００３０】
このプリンタ装置３０では、スタンド装着部３２に、ディジタルスチルカメラ１０が装着されたスタンド装置２０が装着されると、スタンド装置２０のジャック部２９にコネクタ３３が電気的に接続されることになり、これにより、ディジタルスチルカメラ１０から出力された画像データがスタンド装置２０を介して入力されることになり、入力された画像データを印刷できるようになる。また、プリンタ装置３０は、ディジタルスチルカメラ１０が装着されたスタンド装置２０が装着された状態において、ディジタルスチルカメラ１０にスタンド装置２０を介して充電を行うことができる。
【００３１】
また、このプリンタ装置３０では、ディジタルスチルカメラ１０が装着されていないスタンド装置２０を装着することができる。例えば、スタンド装置２０に画像データを保存するメモリ機能がある場合には、このメモリに格納された画像データがプリンタ装置３０に入力され、入力された画像データを印刷することができる。
【００３２】
ところで、以上のようにプリントシステム１を構成するディジタルスチルカメラ１０、スタンド装置２０及びプリンタ装置３０は、図５に示すような回路構成を有する。
【００３３】
具体的に、上述したディジタルスチルカメラ１０は、ディジタルスチルカメラ１０の全体の制御を行うカメラ制御部４１が設けられている。このカメラ制御部４１には、上述した撮像部１２、表示部１３、操作部１５、シャッタ釦１８が電気的に接続されている他に、撮像部１２が撮像した画像データを保存するメモリ４２と、スタンド装置２０と電気的に接続されるスタンドインタフェース（以下、単にスタンドＩ／Ｆという。）４３とが電気的に接続されている。
【００３４】
メモリ４２は、カメラ本体部１１に内蔵された半導体メモリ、磁気ディスク等やカメラ本体部１１に対して着脱可能な半導体メモリを記憶素子に用いるＩＣカード、光ディスク、磁気ディスク等である。メモリ４２は、このような記録媒体に、撮像された画像データ等を保存する。
【００３５】
スタンドＩ／Ｆ４３は、スタンド装置２０とデータ通信等を行うインタフェースであり、ジャック部１７が設けられている。スタンドＩ／Ｆ４３からは、スタンド装置２０から各種操作信号がディジタルスチルカメラ１０に入力されると共に、メモリ４２に格納された画像データやディジタルスチルカメラ１０で発生した操作信号が出力される。また、ディジタルスチルカメラ１０の充電型電池４４に充電を行うための充電用電源がスタンド装置２０から供給される。
【００３６】
以上のようなディジタルスチルカメラ１０では、操作部１５を用いてカメラモードと再生モードを選択することができる。カメラモードのときには、撮像部１２で撮像した画像データ等をメモリ４２に保存することができ、再生モードのときには、メモリ４２に格納されている画像データを、表示部１３やスタンド装置２０の第１のジャック部２８ａに接続されたモニタ等に出力することで、メモリ４２に格納された画像データを見ることができるようにする。また、ディジタルスチルカメラ１０は、スタンド装置２０に装着されているとき、充電型電池４４に対して充電を行うことができる。
【００３７】
また、スタンド装置２０は、スタンド装置２０の全体の制御を行うスタンド制御部５１が設けられている。このスタンド制御部５１には、上述した操作部２７、第１乃至第３のジャック部２８ａ〜２８ｃが接続される他に、画像データ等を格納するメモリ５２、ディジタルスチルカメラ１０の充電型電池４４を充電するための充電回路５３、ディジタルスチルカメラ１０のスタンドＩ／Ｆ４３と接続されるカメラＩ／Ｆ（以下、単にカメラＩ／Ｆという。）５４、プリンタ装置３０と電気的に接続されるプリンタインタフェース（以下、単にプリンタＩ／Ｆという。）５５が電気的に接続されている。
【００３８】
メモリ５２は、スタンド本体部２１に内蔵された半導体メモリ、磁気ディスク等やカメラ本体部１１に対して着脱可能な半導体メモリを記憶素子に用いるＩＣカード、光ディスク、磁気ディスク等である。メモリ５２は、このような記録媒体に、ディジタルスチルカメラ１０から送信された画像データやその他の電子機器から第２のジャック部２８ｂから入力された画像データを蓄積する。なお、メモリ５２には、更に、無線で受信した画像データを格納するようにしても良い。
【００３９】
充電回路５３は、第３のジャック部２８ｃやプリンタ装置３０から入力された直流電源をディジタルスチルカメラ１０の充電型電池４４の充電用としてカメラインタフェース５４を介してディジタルスチルカメラ１０に供給する。これにより、スタンド装置２０は、ディジタルスチルカメラ１０が装着されているときに充電型電池４４に充電を行うことができるようになる。
【００４０】
カメラＩ／Ｆ５４は、ディジタルスチルカメラ１０とデータ通信等を行うインタフェースであり、コネクタ２４が接続されている。カメラＩ／Ｆ５４からは、ディジタルスチルカメラ１０からの各種操作信号や画像データが入力されると共に、ディジタルスチルカメラ１０の充電型電池４４に充電を行うための充電用電源を供給する。
【００４１】
プリンタＩ／Ｆ５５は、プリンタ装置３０とデータ通信等を行うインタフェースであり、ジャック部２９が設けられている。プリンタＩ／Ｆ５５からは、印刷用の画像データ等がプリンタ装置３０に出力され、また、ディジタルスチルカメラ１０の充電型電池４４に充電を行うための充電用電源が供給される。
【００４２】
以上のようなスタンド装置２０では、ディジタルスチルカメラ１０が装着されているとき、ディジタルスチルカメラ１０の充電型電池４４に対して第３のジャック部２８ｃ又はプリンタ装置３０から入力された直流電源を、結合されたスタンドＩ／Ｆ４３及びカメラＩ／Ｆ５４を介して供給し、充電を行うことができる。また、スタンド装置２０は、メモリ５２に、ディジタルスチルカメラ１０からカメラＩ／Ｆ５４から入力された画像データや第２のジャック部２８ｂから入力された画像データをメモリ５２に格納することができる。したがって、このスタンド装置２０は、ディジタルスチルカメラ１０が装着されている他、ディジタルスチルカメラ１０が装着されていない状態であっても、メモリ５２に格納された画像データを印刷用としてプリンタＩ／Ｆ５５から出力することができる。
【００４３】
また、プリンタ装置３０は、プリンタ装置３０の全体の制御を行うプリンタ制御部６１が設けられている。このプリンタ制御部６１は、印刷を行う印刷部６２、操作部３５が電気的に接続されていると共に、スタンド装置２０のプリンタＩ／Ｆ５５と接続されるスタンドＩ／Ｆ６３や他の電子機器、例えばパーソナルコンピュータと接続するための通信インタフェース（以下、通信Ｉ／Ｆともいう。）６４が電気的に接続されている。
【００４４】
印刷部６２は、印刷を行う記録ヘッド、記録紙３６を走行させる走行機構等で構成されている。印刷ヘッド６２としては、感熱記録を行うためのサーマルヘッドやインクで印刷を行うインクジェットヘッドやレーザ印刷を行うレーザプリンタヘッドである。印刷ヘッド６２は、例えば、スタンド装置２０を介してディジタルスチルカメラ１０から入力された画像データを記録紙３６に印刷する。
【００４５】
スタンドＩ／Ｆ６３は、スタンド装置２０とデータ通信等を行うインタフェースであり、コネクタ３３が設けられている。スタンドＩ／Ｆ６３には、印刷用の画像データ等がプリンタ装置３０が入力される。また、スタンドＩ／Ｆ６３は、ディジタルスチルカメラ１０の充電型電池４４に充電を行うための充電用電源をスタンド装置２０を介してディジタルスチルカメラ１０に供給する。
【００４６】
通信Ｉ／Ｆ６４は、パーソナルコンピュータ等の他の電子機器とデータ通信を有線又は無線で行うインタフェースであり、例えば、他の電子機器から送信された画像データを受信する。
【００４７】
以上のようなプリンタ装置３０では、ディジタルスチルカメラ１０のメモリ４２からスタンド装置２０を介して入力された画像データやスタンド装置２０のメモリ５２から入力された画像データを受信すると、この受信した画像データを印刷部６２で印刷することができる。また、このプリンタ装置３０では、ディジタルスチルカメラ１０が装着されたスタンド装置２０が装着されることによって、スタンド装置２０を介してディジタルスチルカメラ１０に充電用電源を供給することができる。
【００４８】
以上のようなプリントシステム１では、ディジタルスチルカメラ１０をスタンド装置２０に装着することができるようにし、更に、スタンド装置２０をプリンタ装置３０に装着するようにし、相互に電気的に接続するようにしている。したがって、プリンタ装置３０のスタンド装着部３２の形状等のインタフェースを共通化すれば、様々なディジタルスチルカメラ１０をプリンタ装置３０に電気的に接続することができる。そして、プリンタ装置３０にスタンド装置２０を装着するに当たって、プリンタ装置３０のスタンド装着部３２には、覆い片３４が設けられ、スタンド装置２０の背面部に設けられた第１乃至第３のジャック部２８ａ〜２８ｃを覆うようにしていることから、スタンド装置２０がプリンタ装置３０に装着された際の見栄えが悪くなることを防止することができる。
【００４９】
なお、スタンド装置２０がプリンタ装置３０のスタンド装着部３２に装着されると、第１乃至第３のジャック部２８ａ〜２８ｃは、覆い片３４に覆われ、使用不能となるが、スタンド装置２０とプリンタ装置３０とは、電気的に接続されていることで、プリンタ装置３０のインタフェースで第１乃至第３のジャック部２８ａ〜２８ｃの代用をすることができる。
【００５０】
また、スタンド装置２０には、ディジタルスチルカメラ１０が背面部の表示部１３を前面側にして装着され、更に、スタンド装置３０がディジタルスチルカメラ１０の表示部１３をプリンタ装置３０の前面側にして装着されることになる。したがって、ユーザは、ディジタルスチルカメラ１０の操作部１５やスタンド装置２０の操作部２７やプリンタ装置３０の操作部３５を用いて、ディジタルスチルカメラ１０の表示部１３に表示された画像を見ながら印刷する画像データを容易に選択することができる。
【００５１】
そして、プリントシステム１では、ディジタルスチルカメラ１０はスタンド装置２０を介してプリンタ装置３０に電気的に接続され、ディジタルスチルカメラ１０が装着されていなくてもスタンド装置２０のみをプリンタ装置３０と電気的に接続することができ、ディジタルスチルカメラ１０のメモリ４２に格納された画像データやスタンド装置２０のメモリ５２に格納された画像データをプリンタ装置３０で印刷することができ、利便性の向上を図ることができる。
【００５２】
また、ディジタルスチルカメラ１０をスタンド装置２０に装着し、このスタンド装置２０をプリンタ装置３０に装着しているとき、ディジタルスチルカメラ１０の充電を行うことができることから、利便性の向上を図ることができる。
【００５３】
なお、スタンド装置に装着される装置は、上述したディジタルスチルカメラ１０に限定されるものではなく、その他ビデオカメラ等撮像機能を有する電気機器であれば特に限定されるものではない。また、ディジタルスチルカメラ１０とスタンド装置２０の電気的接続及び／又はスタンド装置２０とプリンタ装置３０の電気的接続は、コネクタとジャックを用いる他、装着部に装着されたとき、端子同士が接触する接点で行うようにしてもよい。
【図面の簡単な説明】
【００５４】
【図１】本発明を適用したプリントシステムの斜視図である。
【図２】上記プリントシステムを構成するディジタルスチルカメラとスタンド装置の斜視図である。
【図３】上記プリントシステムを構成するスタンド装置とプリンタ装置の斜視図である。
【図４】スタンド装置が装着されたプリンタ装置の背面図である。
【図５】上記プリントシステムのブロック図である。
【符号の説明】
【００５５】
１０  ディジタルスチルカメラ、１１  カメラ本体部、１２  撮像部、１３  表示部、１５  操作部、１７  ジャック部、２０  スタンド装置、２１  スタンド本体部、２２  カメラ装着部。２３  底面部、２４  コネクタ、２５  位置決め突起、２６  支持片、２７  操作部、２８ａ〜２８ｃ  第１乃至第３のジャック部、２９  ジャック部、３０  プリンタ装置、３１  筐体、３２  スタンド装着部、３３  コネクタ、３４  覆い片、３５  操作部
【図１】
2006175607.tif 000003
【図２】
2006175607.tif 000004
【図３】
2006175607.tif 000005
【図４】
2006175607.tif 000006
【図５】
2006175607.tif 000007